(57)【要約】【課題】商品陳列バーに衝撃が加わった際、衝撃力を緩和して、破損せず、且つ怪我や事故を防止する商品陳列具を提供すること。【解決手段】固定部１に水平方向に回動自在及び上方向に移動自在に取り付けられる上下方向に延びる回転軸２と、回転軸２の後方で且つ固定部１に付設される、前から後への作用力で後方に撓み、該作用力がなくなることで元に戻る板バネ部３と、回転軸２から前方に延びる商品が吊り下げられる回転軸２と一体の商品陳列バーと４、回転軸２の周面から外側に延びる、板バネ部３に近接又は当接する突起部５と、を備え、回転軸２は、商品陳列バー４に横方向の外力が作用して回転し、突起部５が板バネ部３を後方へ押し込み、外力がなくなることで、板バネ部３のバネ復元力により元の位置に戻される。【選択図】図１
2020099463.tif 000002
【特許請求の範囲】
【請求項１】
固定部材に取り付けられる固定部と、
該固定部に水平方向に回動自在に取り付けられる上下方向に延びる回転軸と、
該回転軸の後方において固定部に付設される、前から後への作用力で後方に撓み、該作用力がなくなることで元に戻る板バネ部と、
該回転軸から前方に延びる商品が吊り下げられる該回転軸と一体の商品陳列バーと、
該回転軸の周面から外側に延びる、該板バネ部に近接又は当接する突起部と、を備え、
該回転軸は、該商品陳列バーに横方向の外力が作用して回転し、該突起部が該板バネ部を後方へ押し込み、該外力がなくなることで、該板バネ部のバネ復元力により元の位置に戻されることを特徴とする首振り商品陳列具。
【請求項２】
該突起部は、該回転軸から左右方向に延び、且つ後側に至る鍔状であり、鍔状の先端形状が、平面視で後方に突のアール形状であり、側面視で後方下り傾斜状であることを特徴とする請求項１記載の首振り商品陳列具。
【請求項３】
該板バネ部は、上端又は下端が固定され該固定端より下方又は上方の周りがくり抜き状で、側面視が前方上り傾斜となる傾斜面を有し、該突起部の後方下り傾斜面と該板バネ部の前方上り傾斜面が当接又は近接していることを特徴とする請求項１又は２に記載の首振り商品陳列具。
【請求項４】
該突起部は、該回転軸から左右方向に延び、且つ後側に至る鍔状であり、鍔状の先端形状が、平面視で後方に突のアール形状であり、側面視で後方上り傾斜状であることを特徴とする請求項１記載の首振り商品陳列具。
【請求項５】
該板バネ部は、上端又は下端が固定され該固定端より下方又は上方の周りがくり抜き状で、側面視が前方下り傾斜となる傾斜面を有し、該突起部の後方上り傾斜面と該板バネ部の前方下り傾斜面が当接又は近接していることを特徴とする請求項１又は２に記載の首振り商品陳列具。
【請求項６】
該突起部は、該回転軸の後方側において斜め後方に延びる左右一対ものであることを特徴とする請求項１記載の首振り商品陳列具。
【請求項７】
該板バネ部は、平面視がＸ状にクロスする斜め前方に延びる上下一対の傾斜部を有し、該回転軸は、該一対の傾斜部のクロスの前方に位置し、該一対の突起部の一方が、該一対の傾斜部の一方に当接又は近接し、該一対の突起部の他方が、該一対の傾斜部の他方に当接又は近接することを特徴とする請求項６記載の首振り商品陳列具。
【請求項８】
該突起部は、該商品陳列バーが平面視で反時計周りの際、該突起部の回転軸の軸中心より右部が該板バネの右部に当たり、該商品陳列バーが平面視で時計周りの際、該突起部の回転軸の軸中心より左部が該板バネの左部に当たることを特徴とする請求項１〜５のいずれか１項に記載の首振り商品陳列具。
【請求項９】
該商品陳列バーに力がかかり回転軸が平面視で反時計回りに回転する際、該突起部の一方は、該一対の傾斜部の一方のバネ力を受け、回転軸が平面視で時計回りに回転する際、該突起部の他方は、該一対の傾斜部の他方のバネ力を受けることを特徴とする請求項７記載の首振り商品陳列具。
【請求項１０】
該商品陳列バーの上方に位置し、該回転軸から前方に延びる該回転軸と一体の商品表示バーを更に、有することを特徴とする請求項１〜９のいずれか１項に記載の首振り商品陳列具。 
【発明の詳細な説明】
【技術分野】
【０００１】
本発明は、前後方向に延びる商品陳列バーに衝撃が加わった際、商品陳列バーが左右に首を振り、衝撃力を緩和するため、破損せず、且つ怪我や事故を防止する首振り商品陳列具に関する。
【背景技術】
【０００２】
スーパー、コンビニ及び量販店などにおいて、丸棒状の商品陳列バーに前後方向に多数の陳列商品を吊り下げて陳列販売する商品陳列具が知られている。例えば、特開平１１-７６０１１号公報には、商品陳列棚のバー部材１に着脱可能に取付けられる係合部２と、前記係合部２に後端部が着脱可能に固定された商品陳列バー３と、前記商品陳列バー３の上部に位置し前記係合部２又は前記商品陳列バー１の後端部と連結された支持バー４と、を有し、前記係合部２が樹脂製で、前記商品陳列バー３が金属製、及び前記支持バー４が金属製又は樹脂製である商品陳列具１０ｃが開示されている。
【０００３】
特開平１１-１５５７０７号公報には、商品陳列用枠体５等に着脱可能又は着脱不可能に取付けられる係合片１と、この係合片１に後端部が着脱可能又は着脱不可能に取付けられる後端部から前方に向けてやや下方に傾斜する傾斜部２１、商品５０の前方への移動を制限する制動部２２及び取出し部２３を形成する商品陳列バー２と、この商品陳列バー２の上方に位置し前記係合片１と連結された支持バー３と、この支持バー３にスライド移動可能に取付けられ前記商品陳列バー２に支持された商品５０を前方に押し付けることができる押し付け体４とを備える商品陳列具１０が開示されている。
【先行技術文献】
【特許文献】
【０００４】
【特許文献１】特開平１１-７６０１１号公報（請求項１）
【特許文献２】特開平１１-１５５７０７号公報（請求項１）
【発明の開示】
【発明が解決しようとする課題】
【０００５】
これら従来の商品陳列バーを備える商品陳列具は、商品陳列バーが、壁や横バーなどの固定部材に直接または固定部を介して間接的に固定されている。すなわち、前後方向に延びる商品陳列バーは、固定されたものである。また、商品陳列具は、横方向及び縦方向に、多数が付設されており、その前を商品を探す顧客の往来がある。また、商品陳列バーに商品を吊り下げるための作業も行われる。このため、商品陳列バーに顧客又は作業者が衝突することがあり、その際、商品陳列バーの破損が生じたり、人が怪我をするなどの問題があった。そこで、前後方向に延びる商品陳列バーに衝撃が加わった際、衝撃力を緩和して、破損せず、且つ怪我や事故を防止する首振り商品陳列具の開発が求められていた。
【０００６】
すなわち、本発明の目的は、商品陳列バーに衝撃が加わった際、衝撃力を緩和して、破損せず、且つ怪我や事故を防止する商品陳列具を提供することにある。
【課題を解決するための手段】
【０００７】
従って、本発明は、上記課題を解決するものであり、固定部材に取り付けられる固定部と、該固定部に水平方向に回動自在に取り付けられる上下方向に延びる回転軸と、該回転軸の後方において固定部に付設される、前から後への作用力で後方に撓み、該作用力がなくなることで元に戻る板バネ部と、該回転軸から前方に延びる商品が吊り下げられる該回転軸と一体の商品陳列バーと、該回転軸の周面から外側に延びる、該板バネ部に近接又は当接する突起部と、を備え、該回転軸は、該商品陳列バーに横方向の外力が作用し、該突起部が該板バネ部を後方へ押し込むことで回転し、該外力がなくなることで、該板バネ部のバネ復元力により元の位置に戻されることを特徴とする首振り商品陳列具を提供するものである。
【０００８】
また、本発明は、該突起部は、該回転軸から左右方向に延び、且つ後側に至る鍔状であり、鍔状の先端形状が、平面視で後方に突のアール形状であり、側面視で後方下り傾斜状であることを特徴とする前記首振り商品陳列具を提供するものである。。
【０００９】
また、本発明は、該板バネ部は、上端又は下端が固定され該固定端より下方又は上方の周りがくり抜き状で、側面視が前方上り傾斜となる傾斜面を有し、該突起部の後方下り傾斜面と該板バネ部の前方上り傾斜面が当接又は近接していることを特徴とする前記首振り商品陳列具を提供するものである。
【００１０】
また、本発明は、該突起部は、該回転軸から左右方向に延び、且つ後側に至る鍔状であり、鍔状の先端形状が、平面視で後方に突のアール形状であり、側面視で後方上り傾斜状であることを特徴とする前記首振り商品陳列具を提供するものである。
【００１１】
また、本発明は、該板バネ部は、上端又は下端が固定され該固定端より下方又は上方の周りがくり抜き状で、側面視が前方下り傾斜となる傾斜面を有し、該突起部の後方上り傾斜面と該板バネ部の前方下り傾斜面が当接又は近接していることを特徴とする前記首振り商品陳列具を提供するものである。
【００１２】
また、本発明は、該突起部は、該回転軸の後方側において斜め後方に延びる左右一対ものであることを特徴とする前記首振り商品陳列具を提供するものである。
【００１３】
また、本発明は、該板バネ部は、平面視がＸ状にクロスする斜め前方に延びる上下一対の傾斜部を有し、該回転軸は、該一対の傾斜部のクロスの前方に位置し、該一対の突起部の一方が、該一対の傾斜部の一方に当接又は近接し、該一対の突起部の他方が、該一対の傾斜部の他方に当接又は近接することを特徴とする前記首振り商品陳列具を提供するものである。
【００１４】
また、本発明は、該突起部は、該商品陳列バーが平面視で反時計周りの際、該突起部の回転軸の軸中心より右部が該板バネの右部に当たり、該商品陳列バーが平面視で時計周りの際、該突起部の回転軸の軸中心より左部が該板バネの左部に当たることを特徴とする前記首振り商品陳列具を提供するものである。
【００１５】
また、本発明は、該商品陳列バーに力がかかり回転軸が平面視で反時計回りに回転する際、該突起部の一方は、該一対の傾斜部の一方のバネ力を受け、回転軸が平面視で時計回りに回転する際、該突起部の他方は、該一対の傾斜部の他方のバネ力を受けることを特徴とする前記首振り商品陳列具を提供するものである。
【００１６】
また、本発明は、該商品陳列バーの上方に位置し、該回転軸から前方に延びる該回転軸と一体の商品表示バーを更に、有することを特徴とする前記首振り商品陳列具を提供するものである。
【発明の効果】
【００１７】
本発明の首振り商品陳列具（以下、単に「商品陳列具」とも言う。）によれば、前後方向に延びる商品陳列バーに左右方向への力（衝撃力）が加わった場合、商品陳列バーが左右に首を振り、衝撃力を緩和するため、破損せず、且つ怪我や事故を防止することができる。例え、商品陳列バーが９０度近く回転しても、板バネ部は突起部の回転軸中心から左右方向の外側部に当たるため、トルクが発生し、回転軸は確実に元に戻る。
【図面の簡単な説明】
【００１８】
【図１】本発明の実施の形態における商品陳列具の斜視図である。
【図２】図１の商品陳列具の分解斜視図である。
【図３】図１の商品陳列具の板バネ部の拡大斜視図である。
【図４】板バネ部の縦断面図である。
【図５】図１の商品陳列具の突起部周りの正面図である。
【図６】図１の商品陳列具の突起部周りの右側面図である。
【図７】図１の商品陳列具の突起部周りの平面図である。
【図８】図１の商品陳列具の一部を判断して示す斜視図である。
【図９】図８において、回転軸が回転した状態の斜視図である。
【図１０】回転軸が平面視で反時計回りに回転した際の突起部と板バネ部の当接点の軌跡を正面から見た図であり、（Ａ）が外力が作用して回転軸が回転した過程であり、（Ｂ）が元の位置に戻る復元過程を示す。
【図１１】回転軸が平面視で時計回りに回転した際の突起部と板バネ部の当接点の軌跡を正面から見た図であり、（Ａ）が外力が作用して回転軸が回転した過程であり、（Ｂ）が元の位置に戻る復元過程を示す。
【図１２】（Ａ）は正常時における突起部と板バネ部の関係を示す平面図であり、（Ｂ）は、その右側面図である。
【図１３】（Ａ）は回転軸が平面視で反時計周りに回転した際の突起部と板バネ部の関係を示す平面図であり、（Ｂ）は、その右側面図である。
【図１４】（Ａ）は回転軸が平面視で反時計周りに更に回転した際の突起部と板バネ部の関係を示す平面図であり、（Ｂ）は、その右側面図である。
【図１５】本発明の他の実施の形態におけるす商品陳列具の断面図である。
【図１６】本発明の他の実施の形態における一部を破断して示す商品陳列具の斜視図である。
【図１７】図１６の商品陳列具の首振りの作用を説明する部分断面図である。
【図１８】本発明の他の実施の形態における商品陳列具の斜視図である。
【発明を実施するための形態】
【００１９】
次に、本発明の実施の形態における商品陳列具を、図１〜図１４を参照して説明する。図８及び図９中、板バネ部以外の本体部の描写は省略する。明細書中、顧客側が正面であり、回転軸２の回転方向（時計回りなど）は、特段の断りがない場合は、平面視である。商品陳列具１０は、バー部材等の固定部材（不図示）に取り付けられる固定部１と、固定部１に水平方向に回動自在に取り付けられる上下方向に延びる回転軸２と、回転軸２の後方で且つ固定部１に付設される、前から後への作用力で後方に撓み、該作用力がなくなることで元に戻る板バネ部３と、回転軸２から前方に延びる商品が吊り下げられる回転軸２と一体の商品陳列バー４と、回転軸２の周面から外側に延びる、板バネ部３に近接又は当接する突起部５と、を備える。
【００２０】
固定部１は、バー部材等の固定部材に取着される係止フック１３を後方上部に有し、前方には、回転軸２を水平方向に回動自在に支持する支持部１１ａ、１１ｂを有する。支持部１１ａ、１１ｂは、共に平面視がＵ字形状で、上方の支持部１１ａは上下に貫通した側面枠で構成され、下方の支持部１１ｂは、底面を有し上方開口である以外は上方の支持部１１ａと同形状の側面枠を有する。回転軸２と支持部１１ａ、１１ｂは、回転自在となるような隙間を形成している。これにより、回転軸２は、その場で回転できる。また、支持部１１ａの下方位置及び支持部１１ｂの上方位置に、回転軸２の後方移動を規制する縦壁１１ｃ、１１ｄが形成されている。
【００２１】
商品陳列具１０において、固定部１の中央には、板バネ部３が形成されている。板バネ部３は、下端が固定部１の本体部１９に固定され、下端より上方の周りがくり抜きの隙間１２を有する起立状であり、薄肉状の下部３１と、下部３１の上端から上方に向けて連続し、側面視が前方上り傾斜となる傾斜面３２１を有する上部３２とからなる。下部３１を薄板とすることで、後方への作用力で、後方へ撓み、作用力が除かれることで、形状が元に復元する板バネとなる。また、上部３２の側面視が前方上り傾斜となる傾斜面３２１と、回転軸２に付設された突起部５の前方上り傾斜面５２とが当接又は近接しており、回転軸２が回転しても、回転軸２を元の姿勢に戻す自動復元を可能にしている。なお、商品陳列具１０において、板バネ部３の固定は、下端に限定されず、上端が固定部１の本体部１９に固定され、上端より下方の周りがくり抜きの隙間を有する吊り下げ状であってもよい。この場合、薄肉部は、固定端側である上部に位置する。
【００２２】
商品陳列具１０において、突起部５は、回転軸２の周面から外側に延びる、板バネ部３に近接又は当接するものであり、本例では、回転軸２の平面視で略後方半分の周面から左右方向に延び、且つ後側に至る鍔状であり、鍔状の先端形状が、平面視で後方に突のアール形状であり、側面視で後方下り傾斜状である。突のアール形状としては、円弧であり、略半円形状である（図６及び図７）。板バネ部３に当接又は近接する突起部５部分は、鍔状の先端（図では、後端）が平面視で円弧形状であり、板バネ部３の傾斜面に対応する傾斜面である。突起部５の後端の円弧部分をこのような形状とすること、及び板バネ部３の前方上り傾斜面３２１と当接する部分を後方下り傾斜面としたことで、特に、板バネ部３が元の形状に復元する際、自動復元が得られる。また、突起部５を、回転軸２の平面視で略後方半分の周面から左右方向に延び、且つ後側に至る鍔状としたことで、回転軸２が平面視で反時計回りとなるような外力が、商品陳列バー４に作用した場合、鍔状の突起部５の平面視で右側の部分が、板バネ部３と当たり、逆に、回転軸２が平面視で時計回りとなるような外力が、商品陳列バー４に作用した場合、鍔状の突起部５の平面視で左側の部分が、板バネ部３と当たり、共に、その回転を板バネ力により抑制し、その後は、板バネ部のバネ力により、自動復元とすることが可能となる。
【００２３】
商品陳列具１０は、通常状態（陳列状態）において、商品陳列バー４は前方へ延びており、多数の商品が吊り下げられる。その際、突起部５の後端５１１は、板バネ部３の上部３２の下端部、本例では、上部３２と下部３１の境界に僅かに当接しているか、又は僅かな隙間を介して接している（図１２（Ｂ））。また、突起部５の後端５１１は、板バネ部３の左右方向の中心位置にある。また、突起部５の後方下り傾斜面５２と板バネ部３の前方上り傾斜面３２１は互いに当接又は近接している。
【００２４】
次に、商品陳列具１０の使用方法について説明する。商品陳列具１０は、陳列状態において、商品陳列バー４は前方へ延びており、多数の商品が吊り下げられている。商品陳列バー４の前方は、顧客側であり、顧客が吊り下げられた商品を手前に引くことで、商品を取り出せる。この状態において、例えば、顧客の腕が、商品陳列バー４の左側に当たり、商品陳列バー４に左側から右側に外力が作用した場合について説明する。商品陳列バー４は回転軸２と一体になっている。一方、回転軸２は回転可能に支持され、回転軸２の突起部５は、板バネ部３に近接して位置している。また、板バネ部３は、後方への作用力で、後方に撓むものである。このため、回転軸２が平面視で反時計周りに回転すると、突起部５が板バネ部３の上部の傾斜面３２１に当たり、板バネ部３を後方に押しやりつつ、回転する。また、その回転は、板バネ部３のバネ力に抗しており、その作用力は弱められる。商品陳列バー４に当たる力が強い場合、商品陳列バー４は、片側で最大９０度に近い角度まで回転する。なお、商品陳列バー４の回転が、９０度以上とならないよう、例えば、固定部１の本体部１９の前方部１１５と回転軸２の突起（不図示）とが当たることで、その回転を規制すればよい。
【００２５】
回転軸２の突起部５は、平面視が円弧で、且つ側面視が後方下り傾斜であるため、回転軸２が平面視で反時計周りに回転すると、突起部５の板バネ部３に当接する部分の軌道は、当初の位置より円弧軌道を描き、上方向に移動する（図１０（Ａ））。すなわち、陳列状態における突起部５の板バネ部３に当接する部分は、図６及び図７の符号５１１であり、９０度回転後の突起部５の板バネ部３に当接する部分は、符号５１２であり、図６に示す通り、符号５１２の地点は、符号５１１の地点より上方に位置している。
【００２６】
このように、回転軸２に平面視で反時計周りの回転が生じると、突起部５の後端は、板バネ部２の前方上り傾斜面３２１に当接しつつ回転する（図１２〜図１３）。なお、図１３は、その状態における突起部５の後端位置５１３が板バネ部３の傾斜面３２１に当たっていることを示す。更に、回転軸２が回転すると、同様に、突起部５の後端は、板バネ部２の前方上り傾斜面３２１の更に上方位置に当接する（図１４）。なお、図１４は、その状態における突起部５の後端位置５１４が板バネ部３の傾斜面３２１に当たっていることを示す。この突起部５の後端の板バネ部３に当たる部分の軌跡は、図１０（Ａ）の矢印８ａに示すものである。なお、回転軸２の回転が、反時計周りの場合、突起部５の板バネ部３への当接点は、板バネ部３の正面視、回転軸中心より右部となる（図１０（Ａ））。
【００２７】
商品陳列バー４に上記の作用する力と板バネ部３のバネ力が釣り合うか、若しくは、９０度に近いと、回転軸２の回転は停止する。商品陳列バー４に作用する力が無くなり、回転軸２が停止すると同時に、突起部５は、板バネ部３の復元力により前方へ押される。すなわち、突起部５が当たっている板バネ３部分は、前方上り傾斜面３２１であり、突起部５を斜め下方に押す。また、突起部５の後端の右側が板バネ３の正面視、回転軸中心より右部に当たっているため、トルクが発生し、回転軸２は確実に元に戻る。回転軸２が元に戻る際、板バネ部３に当たる突起部５の後端の軌跡は、図１０（Ｂ）に示す矢印８ａの通りである。
【００２８】
次に、商品陳列バー４に右側から左側へ力が作用した場合について説明する。この場合、回転軸２は、平面視で時計周りに回転する。商品陳列バー４に右側から左側へ力が作用した場合の突起部５と板バネ部３の当接関係は、商品陳列バー４に左側から右側へ力が作用した場合の回転方向が異なるだけであり、それぞれの動きは同様であり、その説明を省略する。なお、図１１に示すように、回転軸２が、平面視で時計周りに回転する場合、突起部５が板バネ部３の左側に当たる。従って、例えば、商品陳列バー４に作用する力と板バネ部３のバネ力が釣り合って回転軸２の回転が停止した後、突起部５は、板バネ部３の後方端が板バネ部３の回転軸の軸中心の左部に当たっているため、トルクが発生し、回転軸２は確実に元に戻る（図１１（Ｂ））。符号８ｂは、突起部５の板バネ部３に当たる部分の軌跡である。商品陳列具１０は、前後方向に延びる商品陳列バーに左右方向への力（衝撃力）が加わった場合、商品陳列バーが左右に首を振り、衝撃力を緩和するため、破損せず、且つ怪我や事故を防止することができる。
【００２９】
次に、本発明の他の実施の形態例の商品陳列具について、図１５を参照して説明する。図１５の突起部と板バネ部を描いた部分は、図１２（Ｂ）と同様の角度で見た図である。図１５の商品陳列具において、図１〜図１４の商品陳列具と同一構成要素には同一符号を付して、その説明を省略し、異なる点について主に説明する。すなわち、図１５の商品陳列具１０ａにおいて、図１〜図１４の商品陳列具１０と異なる点は、板バネ部と突起部の形状である。すなわち、商品陳列具１０ｂにおいて、板バネ部３ａの上部の傾斜面３２ａは、商品陳列具１０とは反対の、側面視において前方下り傾斜面であり、突起部５ａの後方の傾斜面５２ａは、商品陳列具１０とは反対の、側面視において前方下り傾斜面である。そして、板バネ部３ａの上部の傾斜面３２ａと突起部５ａの後方の傾斜面５２ａは、当接又は近接している。なお、商品陳列具１０ａにおいて、板バネ部３の固定は、下端に限定されず、上端が固定部１の本体部１９に固定され、上端より下方の周りがくり抜きの隙間を有する吊り下げ状であってもよい。この場合、薄肉部は、固定端側である上部に位置する。
【００３０】
商品陳列具１０ａにおいても、商品陳列具１０と同様、例えば、顧客の腕が、商品陳列バー４の左側に当たり、商品陳列バー４に左側から右側に外力が作用した場合、回転軸２は同様の動きを示す。商品陳列具１０ａにおいて、例えば、回転軸２が平面視で反時計周りに回転すると、突起部５ａの板バネ部３ａに当接する回転軸中心における軌道は、突起部５ａの傾斜に沿って下方に下がる。この際、板バネ部３ａの傾斜面５２ａを下方に押すため、板バネ部３ａは、後方に撓む。また、商品陳列バー４に右側から左側に外力が作用した場合、突起部５ａと板バネ部３ａの動作は、左右が逆となる以外は、回転軸２が反時計周りの場合と同様である。そして、商品陳列バー４に上記の作用する力と板バネ部３のバネ力が釣り合うか、若しくは、９０度に近いと、回転軸２の回転は停止する。商品陳列バー４に作用する力が無くなり、回転軸２が停止すると同時に、突起部５ａは、板バネ部３ａの復元力により前方へ押される。すなわち、突起部５ａが当たっている板バネ３ａ部分は、前方下り傾斜面３２ａであり、突起部５を斜め上方に押す。また、突起部５ａの後端の右側が板バネ３ａの正面視、回転軸中心より右部に当たっているため、トルクが発生し、回転軸２は確実に元に戻る。すなわち、この突起部５ａと板バネ部３ａの当接、撓み、自動復元は、商品陳列具１０の場合と同じである。このように、商品陳列具１０ａは、商品陳列具１０と同様の作用効果を奏する。
【００３１】
次に、本発明の他の実施の形態例の商品陳列具について、図１６を参照して説明する。図１６の商品陳列具において、図１〜図１４の商品陳列具と同一構成要素には同一符号を付して、その説明を省略し、異なる点について主に説明する。すなわち、図１６の商品陳列具１０ｂにおいて、図１〜図１４の商品陳列具１０と異なる点は、板バネ部と突起部である。商品陳列具１０ｂにおいて、板バネ部３ｂは、平面視がＸ状にクロスする斜め前方に延びる上下一対の傾斜部３１１、３２１を有する。すなわち、板バネ部３ｂは、一端が固定部１の本体部１９に固定され、前方に延び次いで屈曲して斜め前方に延びる腕状の傾斜部３１１を有する上部板バネ３１ｂと、一端が固定部１の本体部１９に固定され、前方の延び次いで屈曲して傾斜部３１１とは反対方向の斜め前方に延びる腕状の傾斜部３２１を有する下部板バネ３２ｂと、を有する。左右方向におけるクロス中心は、同方向における回転軸２の軸中心と一致する。上下一対の傾斜部３１１、３２１は、左右対称形状であって、板の厚み方向が前後方向となる。これにより、傾斜部３１１、３２１の前面が押されることで、後方に撓み、前方にバネ力を与える。また、回転軸２は、上下一対の傾斜部３１１、３２１のクロス中心より前方に位置している。なお、上下一対の傾斜部３１１、３２１は、僅かな隙間を介して上下に近接しているため、互いの動作において干渉することはない。
【００３２】
商品陳列具１０ｂにおいて、突起部５ｂは、回転軸２の後方側において斜め後方に延びる左右一対もので、且つ上下一対の腕状の傾斜部３１１、３２１に当接する上下方向の長さを有する。回転軸２における突起部５ｂの形成位置は、平面視で、回転軸２の軸中心から左右方向に延びる仮想水平線に対して約１５度から４０度、後方であればよい。また、一対の突起部５ｂの一方の突起５１ｂは、一対の傾斜部５ｂの一方に当接又は近接し、一対の突起部５ｂの他方の突起５２ｂは、一対の傾斜部５ｂの他方に当接又は近接するように形成されている。
【００３３】
次に、商品陳列具１０ｂの首振りの作用について、図１７を参照して説明する。図１７（Ａ）は、商品陳列具１０ｂの陳列状態における平面視における断面図である。商品陳列具１０ｂにおいて、商品陳列バー４は、正面に真っすぐ延びた状態であり、上方の傾斜部３１１は、平面視で右斜め前方に延びており、下方の傾斜部３２１は、平面視で左斜め前方に延びている。回転軸２の後方周面は、上方の傾斜部３１１と下方の傾斜部３２１に当接しており、一対の突起部５ｂの平面視で左側の突起５１ｂが、一対の傾斜部５ｂの下方の傾斜部３２１の先端側に当接又は近接し、一対の突起部５ｂの平面視で右側の突起５２ｂが、一対の傾斜部５ｂの上方の傾斜部３１１の先端側に当接又は近接している。
【００３４】
商品陳列具１０ｂにおいて、例えば、図１７（Ｂ）の通り、商品陳列バー４に力がかかり回転軸２が、平面視において、矢印の反時計回りに回転する際、平面視で右の突起５２ｂは、板バネ部５ｂの上方の傾斜部３１１をバネ付勢に抗して、後方に押しやる。このため、板バネ部５ｂの上方の傾斜部３１１は後方に撓みつつ、回転軸２の回転を抑制するように作用する。更に回転軸２が回転することで、突起５２ｂは板バネ部５ｂのＸ状のクロスの左右方向の中心位置（中心直近）にくる（図１７（Ｂ））。また、商品陳列具１０ｂにおいて、商品陳列バー４に力がかかり回転軸２が、平面視で時計回りに回転する際、平面視で左の突起５１ｂが、板バネ部５ｂの下方の傾斜部３２１をバネ付勢に抗して、後方に押しやり、その後、板バネ部５ｂのＸ状のクロスの左右方向の中心位置（中心直近）にくる。なお、商品陳列具１０ｂにおいて、商品陳列バー４の回転が、図１７（Ｂ）で示す角度以上とならないよう、例えば、固定部１の本体部１９の前方部と回転軸２の突起（不図示）とが当たることで、その回転を規制している。このように、商品陳列具１０ｂは、商品陳列具１０と同様の作用効果を奏する。
【００３５】
次に、本発明の他の実施の形態例の商品陳列具について、図１７を参照して説明する。図１７の商品陳列具において、図１〜図１４の商品陳列具と同一構成要素には同一符号を付して、その説明を省略し、異なる点について主に説明する。すなわち、図１７の商品陳列具１０ｃにおいて、図１〜図１４の商品陳列具１０と異なる点は、商品陳列バー４の上方に位置し、回転軸２から前方に延びる回転軸２と一体の商品表示バー６を更に、形成した点である。商品表示バー６の先端には、商品情報を表示する表示板７が付設されている。また、商品陳列具１０ｃは、固定部１の本体部の前方突起１１５と、商品表示バー６の中間部６１とで回転規制部を構成している。この回転規制部を形成することで、回転軸２が、片側で８０度以上、回転しないようにしている。すなわち、商品表示バー６が、８０度近く回転すると、中間部６１が前方突起１１５に当たるため、それ以上の回転が規制される。商品陳列具１０ｃによれば、商品表示バー６に意図せぬ外力が作用しても、商品陳列具１０と同様の首振り効果を奏する。
【００３６】
本発明の商品陳列具は、上記実施の形態例に限定されず、種々の変形を採ることができる。商品陳列具１０の支持部１１ａ、１１ｂは、平面視で略Ｕ字断面形状に限定されず、円形貫通孔を有する環状断面形状であってもよい。商品陳列具１０ｂにおいて、上方の傾斜部３１１と下方の傾斜部３２１は、上下逆のクロス、すなわち、傾斜部３１１が、傾斜部３２１の下方に位置する形状であってもよい。また、商品陳列具１０ｂにおいて、突起部５ｂを形成する左右一対の突起は、上下に段差を付け、一方の突起が一方の傾斜部に当たり、他方の傾斜部には当たらない構成であってもよい。また、商品陳列具１０ｂにおいて、回転軸２は、図１７（Ｂ）で示す角度以上に回転するようにした場合、突起部５ｂの内、一方の突起は、上下一対の腕状の傾斜部３１１、３２１において、一方の傾斜部から他方の傾斜部に乗り換え連続的にバネ作用を受けることにしてもよい。また、商品陳列具１０ｂにおいて、突起部５ｂを構成する左右の突起５１ｂ、５２ｂ間の角度を広く採ってもよい。これによれば、商品陳列具１０ｂの首振り角度は広くなる。
【産業上の利用可能性】
【００３７】
本発明によれば、前後方向に延びる商品陳列バーに左右方向への力（衝撃力）が加わった場合、商品陳列バーが左右に首を振り、衝撃力を緩和するため、破損せず、且つ怪我や事故を防止することができる。
【符号の説明】
【００３８】
１    固定部
２    回転軸
３、３ａ、３ｂ    板バネ部
４、４ａ  商品陳列バー
５、５ａ、５ｂ    突起部
６    商品表示バー
７    商品情報表示板
１０、１０ａ〜１０ｃ  商品陳列具
１１ａ、１１ｂ    支持部
３２１    傾斜面
【図１】
2020099463.tif 000003
【図２】
2020099463.tif 000004
【図３】
2020099463.tif 000005
【図４】
2020099463.tif 000006
【図５】
2020099463.tif 000007
【図６】
2020099463.tif 000008
【図７】
2020099463.tif 000009
【図８】
2020099463.tif 000010
【図９】
2020099463.tif 000011
【図１０】
2020099463.tif 000012
【図１１】
2020099463.tif 000013
【図１２】
2020099463.tif 000014
【図１３】
2020099463.tif 000015
【図１４】
2020099463.tif 000016
【図１５】
2020099463.tif 000017
【図１６】
2020099463.tif 000018
【図１７】
2020099463.tif 000019
【図１８】
2020099463.tif 000020